(57)【特許請求の範囲】
【請求項１】
床面に対して平行に配置される底辺部と、
前記底辺部から斜めに立ち上がった２本の斜辺部と、
前記斜辺部の上端から上方に延びるように設置され、床面に対して垂直に配置された２本の垂直部と、
を備えた第１の支柱部と、
前記第１の支柱部に対して略平行で前記床面に対して斜めに配置される２本の補助脚部材と、
前記補助脚部材の上端から上方に延びるように設置され、床面に対して垂直に配置された２本の補助垂直部と、
を備えた第２の支柱部と、
前記第１の支柱部及び前記第２の支柱部に支持される梁部と、
前記梁部を上方から覆うように設置される懸架部材に懸架される筆記板本体と、
を備える筆記板。
【請求項２】
前記筆記板本体は、
筆記面を有する第１の筆記部及び第２の筆記部と、
前記第１の筆記部と前記第２の筆記部に挟まれる芯材と、
を備える請求項１に記載の筆記板。
【請求項３】
前記芯材は、
紙によって形成されたコルゲート部材及びハニカム部材の中から１種類以上選ばれる請求項２に記載の筆記板。
【請求項４】
前記第１の支柱部、前記第２の支柱部、及び前記梁部は、略同径のパイプ状部材によって形成される請求項３に記載の筆記板。
【請求項５】
前記芯材を幅方向両端から挟むガイド部材をさらに備え、
前記ガイド部材は、
締結部材によって前記懸架部材と係止される請求項３に記載の筆記板。
【請求項６】
前記第１の支柱部は、
前記底辺部に床面に接地する１対の車輪を備える請求項３に記載の筆記板。
【請求項７】
前記筆記板本体は、
筆記面を有し、幅方向両端部がハゼ折りされている第１の筆記部及び第２の筆記部を備える請求項１に記載の筆記板。
【請求項８】
前記第１の筆記部及び前記第２の筆記部は、
下端部においてハゼ折りされたまま内側に曲げられる請求項７に記載の筆記板。
【請求項９】
前記第１の筆記部又は前記第２の筆記部は、ペントレイを備える請求項２〜請求項８のいずれか１項に記載の筆記板。
【発明の詳細な説明】
【技術分野】
【０００１】
本発明は、筆記板に関するものである。
【背景技術】
【０００２】
従来のホワイトボード、黒板などの筆記板は、一対の支柱部と、この一対の支柱部を連結する横部材と、支柱部に支持される筆記板本体と、を備える（例えば、特許文献１）。支柱部は鉄などの金属によって形成される。筆記板がホワイトボードである場合には、筆記板本体であるホワイトボード本体は表面にコーティングを施した２枚の鉄板によって樹脂板を挟むことによって積層体が形成され、この積層体の縁は金属のフレームによって縁取りが施される。筆記板が黒板の場合はコーティングの種類が異なるだけであり、基本的な構造はホワイトボードの構造と同様である。従って、筆記板は重量が重いものとなっていた。
【０００３】
加えて、樹脂板には空洞部があり、この空洞部によって筆記音が響いてうるさいものとなっていた。
【０００４】
さらに、ペントレイは横部材に固定されるか、筆記板本体の筆記面に磁石によって取り付けられるため、ペントレイの配置の自由度が低いものとなっていた（例えば、特許文献２）。
【先行技術文献】
【特許文献】
【０００５】
【特許文献１】特開２０１２−１４３９１４号公報
【特許文献２】特開２０１５−１３９９０９号公報
【発明の概要】
【発明が解決しようとする課題】
【０００６】
本発明の解決しようとする課題は、重量が軽く、筆記音が静かな筆記板を提供することである。
【課題を解決するための手段】
【０００７】
前記課題を解決するため、本発明に係る筆記板は、床面に対して垂直方向に延びる第１の支柱部と、前記第１の支柱部に対して略平行に配置される第２の支柱部と、前記第１の支柱部及び前記第２の支柱部に支持される梁部と、前記梁部に懸架される筆記板本体と、を備える。
【発明の効果】
【０００８】
本発明によれば、重量が軽く、筆記音が静かな筆記板を提供することができる。
【図面の簡単な説明】
【０００９】
【図１】ホワイトボードの正面斜視図。
【図２】ホワイトボードの背面斜視図。
【図３】ホワイトボードの正面図。
【図４】図３におけるホワイトボードのＡＡ線断面図。
【図５】コルゲート部材を含む芯材の構成を示す図。
【図６】図３におけるホワイトボードのＢＢ線断面図。
【図７】図３におけるＣＣ線断面図。
【図８】図２におけるＤＤ線断面図。
【図９】ペントレイを装着したホワイトボードの正面斜視図。
【図１０】図９におけるホワイトボードの背面斜視図
【図１１】図９におけるホワイトボードの正面図。
【図１２】ペントレイの正面斜視図。
【図１３】図１１におけるＥＥ線断面図。
【図１４】ペントレイの背面図。
【発明を実施するための形態】
【００１０】
以下、本発明の一実施形態にかかる筆記板を、ホワイトボード１を例に図面を参照しながら説明する。
【００１１】
（ホワイトボード）
図１はホワイトボード１の正面斜視図、図２はホワイトボード１の背面斜視図、図３はホワイトボード１の正面図である。
【００１２】
図１から図３に示すように、ホワイトボード１は、筆記板本体であるホワイトボード本体１２０と、ホワイトボード本体１２０を懸架するフレーム１００と、を備える。
【００１３】
フレーム１００は、床面から正面視後方に斜めに延びる第１の補助脚部材１０１と、第１の補助脚部材１０１に連結し、床面に対して垂直に延びる第１の垂直部１０２と、第１の垂直部１０２に連結し、床面に対して平行に延びる第１の横部材１０３と、を備える。
【００１４】
さらに、フレーム１００は、第１の横部材１０３に連結し、床面に対して垂直に延びる第２の垂直部１０４と、第２の垂直部１０４に連結し、正面視前方に斜めに延びる第１の斜辺部１０５と、第１の斜辺部１０５に連結し、床面に対して正面視後方に平行に延びる底辺部１０６と、底辺部１０６に連結し正面視前方に斜めに延びる第２の斜辺部１０７と、を備える。
【００１５】
そして、フレーム１００は、第２の斜辺部１０７に連結し、床面に対して垂直に延びる第３の垂直部１０８と、第３の垂直部１０８に連結し、床面に対して平行に延びる第２の横部材１０９と、第２の横部材１０９に連結し、床面に対して垂直に延びる第４の垂直部１１０と、第４の垂直部１１０に連結し、正面視後方に斜めに延びる第２の補助脚部材１１１と、を備える。
【００１６】
第１の補助脚部材１０１および第２の補助脚部材１１１の正面視上方にはハンドル１１２が設置される。また、底辺部１０６は床面に接地する第１の車輪１０６Ａと、第２の車輪１０６Ｂと、を備える。第１の横部材１０３と第２の横部材１０９とは、所定の間隔を開けて平行に設置される。
【００１７】
第２の垂直部１０４、第１の斜辺部１０５、底辺部１０６、第２の斜辺部１０７、及び第３の垂直部１０８を第１の支柱部１０１Ａと呼ぶ。また、第１の補助脚部材１０１、第１の垂直部１０２、第４の垂直部１１０、及び第２の補助脚部材１１１を第２の支柱部１０１Ｂと呼ぶ。第１の横部材１０３及び第２の横部材１０９を梁部１０１Ｃと呼ぶ。第１の垂直部１０２及び第４の垂直部１１０を補助垂直部と呼ぶ。第１の支柱部１０１Ａは床面に対して略垂直に延びるように設置される。第２の支柱部１０１Ｂは、第１の支柱部１０１Ａに対して略平行に配置される。梁部１０１Ｃは、第１の支柱部１０１Ａ及び第２の支柱部１０１Ｂの上端部に架け渡される。
【００１８】
第２の垂直部１０４と第３の垂直部１０８、第１の横部材１０３と第２の横部材１０９、第１の垂直部１０２と第４の垂直部１１０は、それぞれ締結具１３１によって締結される。
【００１９】
フレーム１００は、略同径のパイプ状部材、或いは断面が円又は三角形以上の多角形の棒状部材によって形成される。ここでは、棒状部材の中にはパイプ状部材が含まれるものとする。
【００２０】
ホワイトボード本体１２０は、内部に一対のガイド部材１２０Ｂと、係止部材１２０Ｆと、を備える。係止部材１２０Ｆは下端にねじ切りを施した長軸のボルトである。係止部材１２０Ｆは、後述する懸架部材１２３を介して横支持部材１２０Ｅを吊るように係止する。
【００２１】
ホワイトボード本体１２０は、筆記面の板面が正面視下端の下端部１２１において内側に曲げられる。ホワイトボード本体１２０の正面視下端部には円柱状の横支持部材１２０Ｅが挿通され、横支持部材１２０Ｅの両端はそれぞれフレーム１００の第１の支柱部１０１Ａ及び第２の支柱部１０１Ｂに係止される。フレーム１００及びハンドル１１２の外径はどこも等しく形成される。
【００２２】
図４は、図３におけるホワイトボード１のＡＡ線断面図である。図４においては、正面視右端部を示す。また、フレーム１００は図示を省略する。
【００２３】
図４に示すように、ホワイトボード本体１２０は、第１の筆記部１２０Ａと、第２の筆記部１２０Ｃと、第１の筆記部１２０Ａ及び第２の筆記部１２０Ｃに挟まれる芯材１２０Ｄと、ガイド部材１２０Ｂと、を備える。
【００２４】
第１の筆記部１２０Ａ及び第２の筆記部１２０Ｃは、表面にコーティングが施された鉄板を含む筆記面を備え、端部が内側に向かって折り曲げられる、いわゆるハゼ折りが施される。ガイド部材１２０Ｂは、断面がコの字型のＣ型鋼によって形成され、対向する面の間に芯材１２０Ｄの測端部が嵌め込まれ、対向する面の外面は第１の筆記部１２０Ａの裏面及び第２の筆記部１２０Ｃの裏面に接着される。ガイド部材１２０Ｂは芯材１２０Ｄを幅方向両端から挟む。
【００２５】
図５は、コルゲート部材を含む芯材１２０Ｄの構成を示す図である。図５に示すように、芯材１２０Ｄは、第１の平板５０１Ａと、第１の平板５０１Ａに平行に配置される第２の平板５０１Ｂと、第１の平板５０１Ａ及び第２の平板５０１Ｂの間に挟まれるコルゲート部材５０２と、を備える。芯材１２０Ｄは紙（セルロース）によって形成されることが軽量化の観点から望ましいが、所定の強度及び所定の重量を有していれば樹脂によって生成してもよい。
【００２６】
コルゲート部材５０２は、平面部材を波打つように屈曲させて形成される。第１の平板５０１Ａ及び第２の平板５０１Ｂはコルゲート部材５０２の厚さ方向両端部に接着される。なお、芯材１２０Ｄは、コルゲート部材５０２及び蜂の巣のような六角形の空間のつながったハニカム構造を有するハニカム部材の中から１種類以上選ばれる部材を用いることができる。
【００２７】
芯材１２０Ｄは、第１の平板５０１Ａが第１の筆記部１２０Ａと平行に接触して配置され、第２の平板５０１Ｂが第２の筆記部１２０Ｃと平行に接触して配置される。
【００２８】
図６は、図３におけるホワイトボード１のＢＢ線断面図である。図６においてはホワイトボード本体１２０の下端部１２１を示す。図６に示すように、ホワイトボード本体１２０は、下端部１２１に横支持部材１２０Ｅが挿通され、ホワイトボード本体１２０の煽りや落下が防止される。また、下端部１２１は内側に折り曲げられ、断面が下向きの略円弧状をなす。下端部１２１において、第１の筆記部１２０Ａ及び第２の筆記部１２０Ｃは、断面視がそれぞれ円の１／４に曲げられる。従って、下端部１２１は、断面視が略半円となる。下端部１２１の幅方向両端部は、第１の筆記部１２０Ａ及び第２の筆記部１２０Ｃが内側にハゼ折りされ、さらにハゼ折りされたまま、内側に折り曲げられる。従って、外観が優れているだけでなく、怪我などを防ぐことができる。
【００２９】
図７は、図３におけるＣＣ線断面図である。図７においては上端部付近のみを図示する。図７に示すように、ホワイトボード本体１２０は、第１の横部材１０３と第２の横部材１０９とに上方から被覆するように跨る懸架部材１２３を有する。ガイド部材１２０Ｂはアンカーボルト１２４などの締結部材によって懸架部材１２３を介して梁部１０１Ｃに固定される。第１の筆記部１２０Ａ及び第２の筆記部１２０Ｃはそれぞれガイド部材１２０Ｂに接着固定される。従って、ホワイトボード本体１２０は、梁部１０１Ｃに懸架されて固定される。
【００３０】
なお、ホワイトボード本体１２０は、次のように梁部１０１Ｃに固定されてもよい。ホワイトボード本体１２０は、筆記面の板面が正面視上端において外側に曲げられる。ホワイトボード本体１２０は、この筆記面の曲げられた上端部を第１の横部材１０３及び第２の横部材１０９に懸架するように、梁部１０１Ｃである第１の横部材１０３及び第２の横部材１０９に取り付けられる。
【００３１】
図８は、図２におけるＤＤ線断面図である。図８に示すように、第１の垂直部１０２から第４の垂直部１１０にはアンカー１３１Ａが取り付けられる。アンカー１３１Ａの底面にはビス穴が設けられる。締結具１３１の底面にはアンカー１３１Ａのビス穴に対応する位置にビス穴が設けられる。
【００３２】
締結具１３１は両端にアンカー１３１Ａと嵌合するように凹部が設けられる。締結具１３１は凹部にアンカー１３１Ａを嵌合され、アンカー１３１Ａとビスによって締結される。
【００３３】
以上の例においては、筆記板がホワイトボード１である場合について説明した。筆記板は筆記板本体であるホワイトボード本体１２０の第１の筆記部１２０Ａ及び第２の筆記部１２０Ｃを他の種類の筆記部に変更することができる。例えば、第１の筆記部１２０Ａ及び第２の筆記部１２０Ｃのコーティングを黒板用のコーティングとすれば、チョークによって筆記できる黒板を構成することが可能となる。
【００３４】
以上述べたように、本実施形態の筆記板であるホワイトボード１は、棒状部材によって形成されるフレーム１００と、内部に芯材１２０Ｄを有するホワイトボード本体１２０と、を備える。
【００３５】
従って、フレーム１００によって軽量化が図られ、芯材１２０Ｄによって静音化が図られる。よって、重量が軽く、筆記音が静かな筆記板を提供することができるという効果がある。
【００３６】
（ペントレイ）
図９は、本実施形態にかかるペントレイ２を装着した筆記板の例としてのホワイトボード１の正面斜視図、図１０は、図９におけるホワイトボード１の背面斜視図、図１１は、図９におけるホワイトボード１の正面図、図１２は、ペントレイ２の正面斜視図、図１３は、図１１におけるＥＥ線断面図である。
【００３７】
図９から図１１に示すように、ペントレイ２はホワイトボード本体１２０の下端部１２１に裏面側から装着される。
【００３８】
図１２に示すように、ペントレイ２は、上方に起立する第１の起立部２０１と、第１の起立部２０１の下端において横方向に屈曲する第１の屈曲部２０２と、第１の屈曲部２０２から第１の起立部２０１に対して略垂直方向に延びる載置部２０３と、を備える。ペントレイ２はさらに、載置部２０３の第１の起立部２０１と反対側端部において上方向に屈曲する第２の屈曲部２０４と、第２の屈曲部２０４から上方に延びる第２の起立部２０５と、を備える。
【００３９】
ペントレイ２は、板状の部材を第１の屈曲部２０２及び第２の屈曲部２０４において折り曲げた形状をなす。
【００４０】
図１３に示すように、第１の起立部２０１は、内部に永久磁石２１０を有する。永久磁石２１０は、鉄板によって形成される第１の筆記部１２０Ａ又は第２の筆記部１２０Ｃに取り付けた場合に、複数本のペンを載置部２０３に載せたペントレイ２を支持できる程度の磁力を有する。
【００４１】
第１の屈曲部２０２は、第１の筆記部１２０Ａ及び第２の筆記部１２０Ｃの下端部１２１に接触する面の曲率半径が、下端部１２１の曲率半径Ｒと等しい。従って、ペントレイ２を下端部１２１に取り付けた際に、下端部１２１との間に隙間が生じることがない。点Ｘは第１の屈曲部２０２の接触円中心を示す。
【００４２】
ペントレイ２の第１の起立部２０１における高さＬ１は、曲率半径Ｒにペントレイ２を形成する板材の厚さ、及び第１の起立部２０１の長さＬ２を加えた長さに等しい。第１の起立部２０１の長さＬ２は、永久磁石２１０の磁力の強さに依存し、磁力が強いほど長さＬ２は短くてもよい。
【００４３】
載置部２０３の長さＬ３は、曲率半径Ｒより長く、ペンを数本載置できる幅以下であることが使い勝手の点から望ましい。
【００４４】
第２の起立部２０５は、ペンが載置部２０３からこぼれおちない程度の高さＬ４を有する。高さＬ４は載置するペンの外径の１／２以上外径以下が使い勝手の点から望ましい。
【００４５】
図１４は、ペントレイ２の背面図である。図１４に示すように、永久磁石２１０は第１の起立部２０１のほぼ全面に配置される。ペントレイ２は第１の起立部２０１の載置部２０３側の面である内面を第２の筆記部１２０Ｃに接触させて下端部１２１に取り付けられる。この場合、載置部２０３は外見上下端部１２１から正面視手前側に突出するように見える。
【００４６】
なお、図９から図１１には、ペントレイ２を第２の筆記部１２０Ｃ側である背面側からホワイトボード本体１２０に取り付けた例が示されているが、ペントレイ２は従来の磁石付きのペントレイと同様に第１の筆記部１２０Ａ側である正面側からホワイトボード本体１２０に取り付けることもできる。この場合、第１の起立部２０１の載置部２０３側の面の反対側の面である外面を第１の筆記部１２０Ａに接触させて取り付ける。
【００４７】
従って、ペントレイ２は、第１の起立部２０１の内面を下端部１２１に取り付ける使い方と、第１の起立部２０１の外面を第１の筆記部１２０Ａ又は第２の筆記部１２０Ｃに取り付ける使い方と、の２つの使い方が可能であり、用途によって使い分けることができる。ペントレイ２の第１の起立部２０１の内面を下端部１２１に取り付ける場合には、幅方向のいずれの位置にも取り付けることができる。ペントレイ２の第１の起立部２０１の外面を第１の筆記部１２０Ａ又は第２の筆記部１２０Ｃに取り付ける場合には、第１の筆記部１２０Ａ又は第２の筆記部１２０Ｃの板面のいずれの位置にも取り付けることができる。例えば、第１の筆記部１２０Ａに筆記する場合に、ペントレイ２は第１の筆記部１２０Ａ又は第２の筆記部１２０Ｃの板面のいずれの場所にも取り付けることができ、レイアウトに自由度がある。
【００４８】
以上述べたように、本実施形態のペントレイ２は、永久磁石２１０を有し、上方に起立する第１の起立部２０１と、第１の起立部２０１に接続し、ホワイトボード本体１２０の下端部１２１と曲率半径が等しく横方向に屈曲する第１の屈曲部２０２と、第１の屈曲部２０２に接続し、横方向に延びる載置部２０３と、載置部２０３に接続する第２の屈曲部２０４を介して上方に起立する第２の起立部２０５と、を備える。
【００４９】
従って、ペントレイ２はホワイトボード本体１２０の裏面側からも表面側からも取り付けることができ、配置の自由度が高いという効果がある。
【符号の説明】
【００５０】
１  ホワイトボード
２  ペントレイ
１００  フレーム
１０１  第１の補助脚部材
１０１Ａ  第１の支柱部
１０１Ｂ  第２の支柱部
１０１Ｃ  梁部
１０２  第１の垂直部
１０３  第１の横部材
１０４  第２の垂直部
１０５  第１の斜辺部
１０６  底辺部
１０６Ａ  第１の車輪
１０６Ｂ  第２の車輪
１０７  第２の斜辺部
１０８  第３の垂直部
１０９  第２の横部材
１１０  第４の垂直部
１１１  第２の補助脚部材
１１２  ハンドル
１２０  ホワイトボード本体
１２０Ａ  第１の筆記部
１２０Ｂ  ガイド部材
１２０Ｃ  第２の筆記部
１２０Ｄ  芯材
１２０Ｅ  横支持部材
１２０Ｆ  係止部材
１２１  下端部
１２４  アンカーボルト
１３１  締結具
１３１Ａ  アンカー
１３１Ｂ  溝部
２０１  第１の起立部
２０２  第１の屈曲部
２０３  載置部
２０４  第２の屈曲部
２０５  第２の起立部
２１０  永久磁石
５０１Ａ  第１の平板
５０１Ｂ  第２の平板
５０２  コルゲート部材
【図１】
0006618747.tif 000002
【図２】
0006618747.tif 000003
【図３】
0006618747.tif 000004
【図４】
0006618747.tif 000005
【図５】
0006618747.tif 000006
【図６】
0006618747.tif 000007
【図７】
0006618747.tif 000008
【図８】
0006618747.tif 000009
【図９】
0006618747.tif 000010
【図１０】
0006618747.tif 000011
【図１１】
0006618747.tif 000012
【図１２】
0006618747.tif 000013
【図１３】
0006618747.tif 000014
【図１４】
0006618747.tif 000015